(57)【要約】【課題】  製品の設置方向に合わせて簡単な構造で情報表示部を表示できる電子機器を提供すること。【解決手段】  文字情報の情報が刻印又は印刷された情報表示部９の板状部９１を外部から押してフロントケース２３との係合を外したりはめたりすることによって、情報表示部９を回転自在に反転できるようにした。部品数を少ない構成にしたので、構造が簡単になり、短時間で分解・組立てができるし、省スペース化や低コスト化も実現できる。また、外部応力の影響を受けても係合が外れるだけなので、製品の動作不良の原因となることもない。板状部９１とフロントケース２３の表面が略面一になるから埃の侵入を防止することができるとともに、製品の見た目の外観を向上させることができる。また、情報表示部９の向きを変えられるプロジェクタを提供できるから、特に設置姿勢を様々に変更する場合に有効である。【選択図】  図１１
2005084221.tif 000002
【特許請求の範囲】
【請求項１】
筐体外面の二以上の面が設置面とされ、筐体外面に会社名、製品名等のロゴマークを含む文字情報を表示した情報表示部を備えた電子機器であって、
前記情報表示部は、表面に文字情報の情報が刻印又は印刷された板状部と前記板状部の略中央に突設された軸状部と、前記板状部の裏面に突設され、先端に鍵状の係合片が形成された係合突起とを備え、
前記筐体外面には、前記軸状部が挿入される支持孔と、この支持孔に隣接し、かつ支持孔から離れるに従って、次第に深さが増す傾斜凹部と、前記傾斜凹部に形成され、鍵状の係合片と係合する係合孔とが設けられ、
前記情報表示部が前記筐体外面に回転自在に支持されることを特徴とする電子機器。
【請求項２】
請求項１に記載の電子機器において、前記係合片及び前記係合孔が係合すると前記板状部表面と前記筐体外面が略面一になることを特徴とする電子機器。
【請求項３】
請求項１又は請求項２に記載の電子機器において、情報表示部を備えた電子機器はプロジェクタであることを特徴とする電子機器。
【発明の詳細な説明】
【技術分野】
【０００１】
本発明は、筐体外面の二以上の面が設置面とされ、筐体外面に会社名、製品名等のロゴマークを含む文字情報を表示した情報表示部を備えた電子機器に関する。
【背景技術】
【０００２】
従来、プロジェクタ等の電子機器において、筐体外面に会社名、製品名等のロゴマークを表示したものが知られている。
このような電子機器は、縦置き、横置き、逆さ置き等様々な置き方で使用され、これに伴い、ロゴマーク等も置き方に応じた向きで視認できるのが望ましい。
ここで、ロゴマークを反転できる構造としては、自動車用のホイールキャップに回転可能なエンブレム担持体を設け、内側からバネ等の付勢手段を用いてエンブレム担持体をホイールキャップの外面と面一な状態で保持しておき、面外方向から力を作用させて、エンブレム担持体を内側に傾倒させた後、回転させることでエンブレム担持体の向きを変更できるようなものが知られている（例えば、特許文献１参照）。
【０００３】
【特許文献１】特表２００２−５０７５１４号公報（図２）
【発明の開示】
【発明が解決しようとする課題】
【０００４】
しかしながら、従来例はロゴマークを回転して反転表示できる構造になっているが、構成部品点数が多いため、構造が複雑になり、分解・組立てに時間がかかる。さらには、ロゴマークの取付けスペースが広く必要になり、コストもかかるという問題がある。
しかも、例えばプロジェクタのような製品では外部から過剰な応力がロゴマークに加わることで、ロゴマークが破損して、その破損したロゴマークの一部が、製品の内側に万一残存した後に生じる電気系統の不具合による製品の破損や、製品を元の状態に復元するための修理に多くの費用がかかってしまうという問題がある。
【０００５】
本発明の目的は、上記の課題を解決して、製品の設置方向に合わせてロゴマークを表示させることができ、かつ簡単な構造で、しかも低コストで実現できる情報表示部を備えた電子機器およびこの電子機器を備えたプロジェクタを提供することにある
【課題を解決するための手段】
【０００６】
本発明の電子機器は、筐体外面の二以上の面が設置面とされ、筐体外面に会社名、製品名等のロゴマークを含む文字情報を表示した情報表示部を備えた電子機器であって、この情報表示部の表面に文字情報の情報が刻印又は印刷された板状部と、この板状部の略中央に突設された軸状部と、板状部の裏面に突設され、先端に鍵状の係合片が形成された係合突起とを備え、筐体外面には、軸状部が挿入される支持孔と、この支持孔に隣接し、かつ支持孔から離れるに従って、次第に深さが増す傾斜凹部と、この傾斜凹部に形成され、鍵状の係合片と係合する係合孔とが設けられ、この情報表示部が筐体外面に回転自在に支持されることを特徴とする。
【０００７】
なお、文字情報には、前述したロゴマークの他、スイッチのＯＮ・ＯＦＦの表示や、その他の筐体表面に形成される操作スイッチの意味を表す文字情報も含まれる。
この発明によれば、情報表示部が筐体外面に回転自在に支持されていて、この筐体外面に設けられた傾斜凹部に沿って情報表示部を外部から押すことで、係合片と係合孔の係合を外し、この情報表示部を回転させることで、刻印又は印刷された板状部の文字情報を製品の設置方向にあわせることができる。
しかも、この電子機器を構成する部品（つまり、情報表示部）は１つしかないので、構造が簡単になり、短時間で分解・組立てができるし、省スペース化や低コスト化も実現できる。
また、外部応力が情報表示部に加わっても、前述のように係合片と係合孔の係合が外れるだけなので、情報表示部が破損することも無いし、ひいては、情報表示部の一部が製品内部に残存することもない。つまり、製品の破損部分が内部で動作不良の原因となることもない。
さらに、情報表示部は略長方形としたが、板状であればロゴマークや文字などを表示することができるので、その形状にこだわる事は無い。したがって、情報表示部は多角形や円形なども採用できる。
【０００８】
本発明の電子機器では、係合片及び係合孔が係合すると板状部表面と筐体外面が略面一である構成が好ましい。
【０００９】
この発明によれば、板状部と筐体外面が略面一であるので、製品内部への埃の侵入を防止することができるとともに、製品の見た目の外観を向上させることができる。
【００１０】
本発明の情報表示部を備えた機器は、以上に説明した電子機器を用いたプロジェクタであることを特徴とする。
【００１１】
この発明によれば、前述のような効果が得られ、情報表示部の向きを変えられるプロジェクタを提供できる。特にプロジェクタの場合、天井に吊り下げて上から下へあおり投写したり、テーブル上に設置して下から上にあおり投写することがあり、本発明を適用することの有用性は高い。
【発明を実施するための最良の形態】
【００１２】
以下、本発明の実施の一形態を図面に基づいて説明する。
（１）外観構成
図１は、本実施形態に係るプロジェクタ１を上方前面側から見た斜視図である。図２は、プロジェクタ１を下方背面側から見た斜視図である。
プロジェクタ１は、光源から射出された光束を画像情報に応じて変調し、スクリーン等の投写面上に拡大投写する。このプロジェクタ１は、図１または図２に示すように、略直方体状の外装ケース２、およびこの外装ケース２から露出する投写レンズ３（図１）を備える。
投写レンズ３は、筒状の鏡筒内に複数のレンズが収納された組レンズとして構成され、プロジェクタ１の装置本体により画像情報に応じて変調された光学像を拡大投写する。
【００１３】
外装ケース２は、合成樹脂製の筐体であり、プロジェクタ１の装置本体を収納する。この外装ケース２は、図１または図２に示すように、装置本体の上部部分を覆うアッパーケース２１と、装置本体の下部部分を覆うロアーケース２２と、装置本体の前面部分を覆うフロントケース２３（図１）と、装置本体の側面部分の一部を覆うサイドケース２４と、装置本体の背面部分の一部を覆うリアケース２５（図２）とを備える。
アッパーケース２１は、図１または図２に示すように、外装ケース２の上面、側面の一部、および背面の一部をそれぞれ形成する上面部２１Ａ（図１）、側面部２１Ｂ，２１Ｃ（図１）、および背面部２１Ｄ（図２）を含んで構成される。
【００１４】
上面部２１Ａは、図１に示すように、平面視略矩形形状を有し、平面視略中央部分から前面側、側面側、および背面側にかけて、なだらかに湾曲し、凸曲面形状を有し、外装ケース２の上面を形成する。また、この上面部２１Ａの前方側端縁は、図１に示すように、前方から見て右側部分が曲線上に切り欠かれるように形成されている。
この上面部２１Ａにおいて、後方側略中央部分には、図１に示すように、プロジェクタ１の起動・調整操作を実施する操作パネル２６が左右方向に延びるように設けられている。操作パネル２６の操作ボタン２６１を適宜押下すると、操作パネル２６内部に配置される図示しない回路基板に実装されたタクトスイッチと接触し、所望の操作が可能となる。また、前記回路基板には、図示しないＬＥＤ（Light Emitting Diode）が取り付けられており、所望の操作に応じて発光するようになっている。さらに、操作パネル２６は、操作ボタン２６１を囲むように配置される化粧板２６２を備えており、前記ＬＥＤからの光は、操作パネル２６内部に配置される図示しない導光板を介して拡散される。
なお、前述した操作パネル２６の回路基板は、後述する制御基板と電気的に接続され、操作ボタン２６１の押下に伴う操作信号は、制御基板に出力される。
【００１５】
また、この上面部２１Ａの前方側であって、前方から見て右側部分から、図１に示すように、投写レンズ３を上下左右に動かし、投写レンズ３の位置を調整する投写レンズ位置調整装置３０（図７参照）を構成する２つのダイアル３１１，３２１が露出している。この２つのダイアル３１１，３２１のうち、ダイアル３１１をＹ１方向（前方向）に回転させると、投写レンズ３がＹ３方向（下方）に動き、ダイアル３１１をＹ２方向（後方向）に回転させると、投写レンズ３がＹ４方向（上方）に動くこととなる。また、ダイアル３２１をＸ１方向（プロジェクタ１後方から見て右方向）に回転させると、投写レンズ３がＸ３方向（右方向）に動き、ダイアル３２１をＸ２方向（プロジェクタ１後方から見て左方向）に回転させると、投写レンズ３がＸ４方向（左方向）に動くこととなる。
【００１６】
側面部２１Ｂ，２１Ｃは、図１または図２に示すように、上面部２１Ａの長辺方向両端縁から略垂下し、投写方向両端縁が前面側および背面側に凸曲面を有するように湾曲している。
このうち、側面部２１Ｃにおいて、前方側には、図１に示すように、平面視コ字状の切り欠き２１Ｃ１が形成され、また、投写方向略中央部分から後方側にかけて、平面視コ字状の切り欠き２１Ｃ２が形成されている。
【００１７】
背面部２１Ｄは、図２に示すように、上面部２１Ａの短辺方向後方側端縁から略垂下し、長辺方向両端縁が湾曲して側面部２１Ｂ，２１Ｃと接続する。
この背面部２１Ｄにおいて、後方側から見て左側から長辺方向略中央部分にかけて、図２に示すように、平面視コ字状の切り欠き２１Ｄ１が形成されている。
また、この背面部２１Ｄにおいて、後方側から見て右側には、図２に示すように、リモコン受光窓２１Ｄ２が形成されている。そして、このリモコン受光窓２１Ｄ２の内側には、図示しないリモートコントローラからの操作信号を受信する図示しないリモコン受光モジュールが配置されている。
なお、リモートコントローラには、前述した操作パネル２６に設けられる起動スイッチ、調整スイッチ等と同様のものが設けられていて、リモートコントローラを操作すると、この操作に応じた赤外線信号がリモートコントローラから出力され、赤外線信号は、リモコン受光窓２１Ｄ２を介してリモコン受光モジュールで受光され、後述する制御基板で処理される。
【００１８】
ロアーケース２２は、図２に示すように、外装ケース２の底面、側面の一部、および背面の一部をそれぞれ形成する、底面部２２Ａ、側面部２２Ｂ，２２Ｃ、および背面部２２Ｄを含んで構成される。
底面部２２Ａは、図２に示すように、略矩形状の平坦面で構成され、外装ケース２の底面を形成する。
この底面部２２Ａにおいて、後方側長辺方向略中央部分には、図２に示すように、プロジェクタ１の脚部を構成する固定脚部２２Ａ１が設けられている。また、前方側長辺方向両端部分には、下方側に膨出する膨出部２２Ａ２が形成され、この膨出部２２Ａ２には、固定脚部２２Ａ１とともにプロジェクタ１の脚部を構成する調整脚部２２Ａ３が設けられている。
このうち、調整脚部２２Ａ３は、膨出部２２Ａ２から底面部２２Ａの面外方向に進退自在に突出し、プロジェクタ１の投写時におけるプロジェクタ１の前後方向および左右方向の傾斜位置を調整可能としている。
【００１９】
また、底面部２２Ａにおいて、後方から見て左側であって、短辺方向略中央部分には、図２に示すように、外装ケース２内部と連通する吸気口２Ａが形成されている。
この吸気口２Ａは、外装ケース２外部の冷却空気を外装ケース２内部に取り込む開口であり、この吸気口２Ａには、複数の開口が形成されたカバー２Ａ１が取り付けられている。
【００２０】
さらに、底面部２２Ａにおいて、後方側長辺方向両端部分には、図２に示すように、底面部２２Ａの面外方向に突出する平面視略Ｌ字状の位置決めリブ２２Ａ４と、この位置決めリブ２２Ａ４のＬ字状内側に位置するねじ孔２２Ａ５とが形成されている。
【００２１】
側面部２２Ｂ，２２Ｃは、図１または図２に示すように、底面部２２Ａの長辺方向両端縁から上方に立設するものであり、投写方向両端縁が前面側および背面側に凸曲面を有するように湾曲している。
側面部２２Ｂ，２２Ｃにおいて、前方側下端部分には、図１または図２に示すように、底面部２２Ａの膨出部２２Ａ２と略連続して外側に膨出する膨出部２２Ｂ１（図２），２２Ｃ１（図１）が形成されている。
また、側面部２２Ｃにおいて、前方側には、図１に示すように、平面視コ字状の切り欠き２２Ｃ１が形成され、また、投写方向略中央部分から後方側にかけて、平面視コ字状の切り欠き２２Ｃ２が形成されている。そして、アッパーケース２１の切り欠き２１Ｃ１およびロアーケース２２の切り欠き２２Ｃ１が接続することで、外装ケース２内部の空気を外装ケース２外部に排出するための排出口２Ｂが形成される。また、アッパーケース２１の切り欠き２１Ｃ２およびロアーケース２２の切り欠き２２Ｃ２が接続することで、サイドケース２４と係合する開口２Ｃが形成される。
【００２２】
背面部２２Ｄは、図２に示すように、底面部２２Ａの長辺方向後方側端縁から上方に立設するものであり、アッパーケース２１の背面部２１Ｄと略同様に、長手方向両端縁が湾曲して側面部２２Ｂ，２２Ｃと接続する。
この背面部２２Ｄにおいて、上端側長手方向略中央部分には、図２に示すように、外装ケース２の内側に窪み、底面部分に矩形状の開口２２Ｄ１が形成されている。そして、この開口２２Ｄ１を介して内部のインレットコネクタ２７が露出し、外部の電力をプロジェクタ１の装置本体に供給可能としている。
【００２３】
フロントケース２３は、図１に示すように、左右方向に延びる略楕円形状に形成され、前方から見て右側部分が上下方向に膨出している。そして、このフロントケース２３は、アッパーケース２１およびロアーケース２２が接続された状態で前面側に形成される開口に係合し、外装ケース２の前面を形成する。
【００２４】
このフロントケース２３において、前方から見て右側部分には、図１に示すように、外装ケース２の内側に窪み、この窪みの中心部分に略円形状の開口２３１が形成されている。そして、この開口２３１は、投写レンズ３の先端部分を露出させる。
また、このフロントケース２３において、長手方向略中央部分には、図１に示すように、前述のリモコン受光窓２１Ｄ２と同様のリモコン受光窓２３２が設けられている。そして、これらリモコン受光窓２１Ｄ２およびリモコン受光窓２３２を介して、プロジェクタ１の前方および後方の双方から図示しないリモートコントローラを用いてプロジェクタ１の遠隔操作を実施できるように構成されている。
【００２５】
さらに、このフロントケース２３において、前方から見て左側部分には、図１に示すように、プロジェクタ１の製造会社名、または製品名等が記載された情報表示部９が取り付けられている。
この情報表示部９は、上面に製造会社名、または製品名等の情報が記載された略矩形状の板体であり、フロントケース２３に対して回転自在とするとともに、該回転軸を中心として１８０°の回転対称となる二位置でフロントケース２３に対して取り付け可能に構成されている。
【００２６】
サイドケース２４は、図１に示すように、断面略円弧状の板体から構成され、外装ケース２の開口２Ｃに係合し、アッパーケース２１の側面部２１Ｂ，２１Ｃ、およびロアーケース２２の側面部２２Ｂ，２２Ｃとともに、外装ケース２の側面を形成する。
このサイドケース２４の内側には、プロジェクタ１の装置本体を構成する後述する光源装置が配置され、サイドケース２４を外装ケース２から取り外すことで、前記光源装置を装置本体に着脱自在とする。すなわち、サイドケース２４は、本発明に係るランプ蓋に相当する。
また、サイドケース２４の下端側には、図２に示すように、固定用孔２４１が形成され、ねじ等により外装ケース２内部の固定部材に固定される。
【００２７】
リアケース２５は、略矩形状の板体から構成され、該板体の各端縁から後方側に突出する突出部２５１を有し、断面略コ字状に形成されている。このリアケース２５は、突出部２５１の先端部分と、アッパーケース２１の背面部２１Ｄに形成された切り欠き２１Ｄ１、およびロアーケース２２の背面部２２Ｄの上端部分とが接続し、アッパーケース２１およびロアーケース２２が接続された状態で背面側に形成される開口部分を塞ぐ。そして、このリアケース２５は、アッパーケース２１の背面部２１Ｄおよびロアーケース２２の背面部２２Ｄとともに、外装ケース２の背面を形成する。
また、このリアケース２５には、図２に示すように、複数の孔２５２が形成され、これら複数の孔２５２を介して、外部の電子機器からの画像信号、音声信号等を入力するための複数の接続端子２５３が外部に露出している。このリアケース２５の内側には、接続端子２５３から入力される信号を処理する図示しないインターフェース基板が配置されている。
なお、前記インターフェース基板は、後述する制御基板と電気的に接続され、前記インターフェース基板にて処理された信号は、制御基板に出力される。
【００２８】
（２）内部構成
図３ないし図５は、プロジェクタ１の内部構成を示す図である。具体的に、図３は、図１の状態からアッパーケース２１、フロントケース２３、およびサイドケース２４を取り外した状態を示す図である。図４は、図３の状態から上部シールド板をさらに取り外した状態を示す図である。図５は、図４の状態から制御基板をさらに取り外した状態を示す図である。
外装ケース２の内部には、図３ないし図５に示すように、プロジェクタ１の装置本体が収容されており、この装置本体は、外装ケース２の長手方向に沿って左右方向に延び、一方の端部が前方に延びる平面視略Ｌ字状の光学ユニット４（図５）と、この光学ユニット４の上方およびフロントケース２３の内側にそれぞれ配置される制御基板５と、光学ユニット４のＬ字状内側に配置される電源ユニット６と、外装ケース２内部を冷却する冷却ユニット７（図５）とを備えている。
【００２９】
(2-1)光学ユニット４の構造
図６は、光学ユニット４の光学系を模式的に示す図である。
光学ユニット４は、光源装置から射出された光束を画像情報に応じて変調して光学像を形成し、投写レンズ３を介してスクリーン上に投写画像を形成するものである。この光学ユニット４は、図６に示すように、インテグレータ照明光学系４１と、色分離光学系４２と、光学フィルタ４２Ａと、リレー光学系４３と、光変調装置および色合成光学装置を一体化した光学装置４４と、これら光学部品４１，４２，４２Ａ，４３，４４を収納配置するライトガイド４５とに機能的に大別される。
【００３０】
インテグレータ照明光学系４１は、光源から射出された光束を照明光軸直交面内における照度を均一にするための光学系である。このインテグレータ照明光学系４１は、光源装置４１１、第１レンズアレイ４１２、第２レンズアレイ４１３、偏光変換素子４１４、および重畳レンズ４１５を備えて構成される。
光源装置４１１は、放射光源としての光源ランプ４１１Ａ、リフレクタ４１１Ｂ、およびリフレクタ４１１Ｂの光束射出面を覆う防爆ガラス４１１Ｃを備える。そして、光源ランプ４１１Ａから射出された放射状の光束は、リフレクタ４１１Ｂで反射されて略平行光束とされ、外部へと射出される。本実施形態では、光源ランプ４１１Ａとして、高圧水銀ランプを採用し、リフレクタ４１１Ｂとして、放物面鏡を採用している。なお、光源ランプ４１１Ａとしては、高圧水銀ランプに限らず、例えばメタルハライドランプやハロゲンランプ等を採用してもよい。また、リフレクタ４１１Ｂとして放物面鏡を採用しているが、これに限らず、楕円面鏡からなるリフレクタの射出面に平行化凹レンズを配置した構成を採用してもよい。
【００３１】
第１レンズアレイ４１２は、照明光軸方向から見てほぼ矩形状の輪郭を有する小レンズがマトリクス状に配列された構成を具備している。各小レンズは、光源ランプ４１１Ａから射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル上に結像させる機能を有する。
【００３２】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源ランプ４１１Ａからの光束の略半分が利用されない。このため、偏光変換素子４１４を用いることにより、光源ランプ４１１Ａから射出された光束を略１種類の偏光光に変換し、光学装置４４における光の利用効率を高めている。なお、このような偏光変換素子４１４は、例えば、特開平８−３０４７３９号公報に紹介されている。
【００３３】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１，４２２により赤（Ｒ）、緑（Ｇ）、青（Ｂ）の３色の色光に分離される。
光学フィルタ４２Ａは、２枚のダイクロイックミラー４２１，４２２の間に配置され、ダイクロイックミラー４２１を透過した光束についてスペクトル補正を実施する。そして、この光学フィルタ４２Ａは、比較的に光強度の高い色光（例えば、緑色光および青色光等）のスペクトル補正を実施することで、投写画像のコントラストの低下を防止している。この光学フィルタ４２Ａは、具体的な図示は省略するが、青板ガラスまたは白板ガラス等からなるガラス基板と、このガラス基板の表面に屈折率の異なる２種類の薄膜が交互に積層された光学変換膜とを含んで構成される。
【００３４】
また、この光学フィルタ４２Ａは、ライトガイド４５に設けられたフィルタ移動機構４５Ａ（図５）によって光束の光路内外に移動される。すなわち、光学フィルタ４２Ａは、照明光軸に対して略垂直になるように照明光軸上に配置されている。この状態から、フィルタ移動機構４５Ａは、図６中矢印Ｒで示すように、光学フィルタ４２Ａの姿勢を変えながら、ライトガイド４５の光路外にスライドさせる。
リレー光学系４３は、入射側レンズ４３１と、一対のリレーレンズ４３３と、反射ミラー４３２，４３５とを備えている。このリレー光学系４３は、色分離光学系４２で分離された色光である青色光を光学装置４４の後述する青色光用の液晶パネルまで導く機能を有している。
【００３５】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４１９を通って、赤色光用の液晶パネルに到達する。このフィールドレンズ４１９は、第２レンズアレイ４１３から射出された各部分光束をその中心軸（主光線）に対して平行な光束に変換する。青色光および緑色光用の液晶パネルの光入射側に設けられたフィールドレンズ４１９も同様である。
【００３６】
また、ダイクロイックミラー４２１を透過した青色光と緑色光のうちで、緑色光は、ダイクロイックミラー４２２によって反射し、フィールドレンズ４１９を通って、緑色光用の液晶パネルに到達する。一方、青色光は、ダイクロイックミラー４２２を透過してリレー光学系４３を通り、さらにフィールドレンズ４１９を通って、青色光用の液晶パネルに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４１９に伝えるためである。なお、リレー光学系４３には、３つの色光のうちの青色光を通す構成としたが、これに限らず、例えば、赤色光を通す構成としてもよい。
【００３７】
光学装置４４は、入射された光束を画像情報に応じて変調してカラー画像を形成する。この光学装置４４は、色分離光学系４２で分離された各色光が入射される３つの入射側偏光板４４２と、これら入射側偏光板４４２の後段に配置される液晶パネル４４１（赤色光用を４４１Ｒ、緑色光用を４４１Ｇ、青色光用を４４１Ｂとする）および射出側偏光板４４４と、クロスダイクロイックプリズム４４５とを備える。
液晶パネル４４１Ｒ，４４１Ｇ，４４１Ｂは、例えば、ポリシリコンＴＦＴ（Thin Film Transistor）をスイッチング素子として用いたものであり、対向配置される一対の透明基板内に液晶が密封封入されている。そして、この液晶パネル４４１Ｒ，４４１Ｇ，４４１Ｂは、入射側偏光板４４２を介して入射する光束を画像情報に応じて変調して射出する。
【００３８】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００３９】
クロスダイクロイックプリズム４４５は、射出側偏光板４４４から射出され、色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００４０】
図７は、ライトガイド４５の構造を示す図である。なお、図７では、前述のフィルタ移動機構４５Ａを外した図である。
ライトガイド４５は、射出成形等による合成樹脂製品であり、前述の光学部品４１，４２，４２Ａ，４３，４４が収納される下ライトガイド４６と、この下ライトガイド４６の上面の開口部分を塞ぐ蓋状の上ライトガイド４７とを備える。
下ライトガイド４６は、光源装置４１１が収納される光源収納部４８と、光源装置４１１を除く他の光学部品が収納される容器状に形成された部品収納部４９とを備えている。
【００４１】
光源収納部４８は、略箱型形状であり、部品収納部４９側の端面およびこの端面に対向する端面に開口が形成されている。部品収納部４９側の端面に形成された開口は、光源装置４１１から射出された光束を透過させるためのものである。また、部品収納部４９側の端面に対向する端面に形成された開口は、光源装置４１１を光源収納部４８の側方から差し込むようにして収容するための開口である。
また、光源収納部４８の前方側および後方側端面には、図７に示すように、該光源収納部４８内外に冷却空気を流通させるための流入用開口４８Ａ１，４８Ｂ１、および流出用開口４８Ａ２，４８Ｂ２がそれぞれ対向形成されている。
【００４２】
部品収納部４９は、上面が開口した略直方体形状であり、その一端は光源収納部４８に接続されている。また、この部品収納部４９の他端には、投写レンズ３がねじ止め固定されるヘッド部５０が取り付けられている。このヘッド部５０は、ライトガイド４５内に設定される照明光軸に対する所定位置に投写レンズ３を設置するためのものである。
部品収納部４９には、具体的な図示は省略するが、光学部品４１２〜４１５，４１９，４２１〜４２３，４３１〜４３５を上方からスライド式に嵌め込むための複数の溝部が形成されている。また、この部品収納部４９のヘッド部５０に隣接する部分には、光学装置４４が設置される。
また、部品収納部４９の底面には、具体的な図示は省略するが、光学装置４４の各液晶パネル４４１Ｒ，４４１Ｇ，４４１Ｂに対応する位置、および偏光変換素子４１４に対応する位置にそれぞれ開口が形成されている。これら開口を介して、後述する冷却ユニット７により冷却空気がライトガイド４５内に流通可能となる。
【００４３】
上ライトガイド４７は、下ライトガイド４６の部品収納部４９における光学装置４４の上方を除く上端開口部分を閉塞する。この上ライトガイド４７には、表裏を貫通して複数の開口部４７Ａが形成され、この開口部４７Ａから、ライトガイド４５内を冷却した空気が排出されることとなる。
【００４４】
(2-2)制御基板５の構造
制御基板５は、図４に示すように、光学ユニット４の上方に配置されるメイン基板５１と、フロントケース２３および電源ユニット６の間に配置されるサブ基板５２とを備える。
メイン基板５１は、ＣＰＵ（Central Processing Unit）等の演算処理装置が実装された回路基板として構成され、プロジェクタ１全体を制御する。このメイン基板５１は、前述のインターフェース基板から出力される信号に基づいて液晶パネル４４１Ｒ，４４１Ｇ，４４１Ｂを駆動制御する。そして、液晶パネル４４１Ｒ，４４１Ｇ，４４１Ｂは、光変調を実施して光学像を形成する。また、このメイン基板５１は、前述の操作パネル２６の回路基板、および前述の図示しないリモコン受光モジュールから出力される操作信号を入力し、この操作信号に基づいてプロジェクタ１の構成部材に適宜、制御指令を出力する。
また、このメイン基板５１の上方には、図３に示すように、アルミニウムから構成される平面視Ｌ字状の上部シールド板８Ａが取り付けられている。そして、この上部シールド板８Ａは、制御基板５に実装される回路素子から放射される電磁波を遮蔽するとともに、外部からの電磁波も遮蔽し、雑音障害を回避している。
【００４５】
サブ基板５２は、後述する冷却ユニット７を構成する複数の冷却ファンを駆動するためのファン駆動回路が実装された基板であり、メイン基板５１と電気的に接続され、該メイン基板５１から出力される制御指令を入力することで、前記冷却ファンを駆動させる。
また、このサブ基板５２には、メイン基板５１の上方に取り付けられた上部シールド板８Ａと接続し、該サブ基板５２を覆うアルミニウムから構成されるシールド板８Ｂが取り付けられている。
なお、シールド板８Ａ，８Ｂは、アルミニウムに限らず、その他の金属で構成してもよく、また、合成樹脂等で構成し、その表面にメッキ処理、または、金属蒸着処理、金属箔の貼り付け等を施したものを採用してもよい。
【００４６】
(2-3)電源ユニット６の構成
電源ユニット６は、光源装置４１１および制御基板５等に電力を供給するものであり、図３ないし図５に示すように、外装ケース２のフロントケース２３の長手方向に沿って配置されている。この電源ユニット６は、図３ないし図５に示すように、電源回路を備えた電源ブロック６１と、この電源ブロック６１の下方に配置されるランプ駆動ブロック（図示略）とを備えている。
電源ブロック６１は、インレットコネクタ２７（図２）に接続された電源ケーブルを通して外部から供給された電力をランプ駆動ブロックおよび制御基板５等に供給する。この電源ブロック６１は、入力される交流を低電圧の直流に変換するトランスや該トランスからの出力を所定の電圧に変換する変換回路等が片面に実装された回路基板と、この回路基板を覆う筒状部材６１１とを備える。このうち、筒状部材６１１は、アルミニウムから構成され、両端が開口された略箱状に形成されている。
ランプ駆動ブロックは、前述した光源装置４１１に安定した電圧で電力を供給するための変換回路等が片面に実装された回路基板を備え、電源ブロック６１から入力した商用交流電流は、このランプ駆動ブロックによって整流、変換されて、直流電流や交流矩形波電流となって光源装置４１１（図６）に供給される。また、ランプ駆動ブロックは、電源ブロック６１の筒状部材６１１と同様に、回路基板を覆う筒状部材を備えている。
【００４７】
(2-4)冷却ユニット７の構成
図８は、冷却ユニット７の構成を示す図である。具体的に、図８は、図５の状態からリアケース２５、光学ユニット４、および電源ユニット６を取り外した状態を示す図である。
冷却ユニット７は、プロジェクタ１内部の発熱部材を冷却する。この冷却ユニット７は、図８に示すように、プロジェクタ１内部に外部の冷却空気を導入するシロッコファン７１，７２と、ロアーケース２２の底面部２２Ａに形成された吸気口２Ａ（図２）を介してプロジェクタ１内部に流入した冷却空気をシロッコファン７１，７２の各吸気口に導く吸気側ダクト７３と、シロッコファン７１，７２の各吐出口と接続し、光学ユニット４内部および電源ユニット６側に冷却空気を導く吐出側ダクト７４と、光源装置４１１に空気を吹き付けるシロッコファン７５と、プロジェクタ１内部の空気を外部に排出する排気装置７６とを備える。
【００４８】
シロッコファン７１は、ロアーケース２２の底面部２２Ａに形成された吸気口２Ａ（図２）の後方側に位置し、冷却空気を吸入する吸気面が光源装置４１１、光学装置４４、およびクロスダイクロイックプリズム４４５にて形成される光路面（ロアーケース２２の底面部２２Ａに沿った面）に直交する面に沿って配置されている。具体的に、このシロッコファン７１は、冷却空気を吸入する吸気口が前方に向き、吸入した冷却空気を吐出する吐出口が前方から見て左方向に向いている。
シロッコファン７２は、投写レンズ３の側方に位置し、シロッコファン７１と同様に、冷却空気を吸入する吸気面が前記光路面に直交する面に沿って配置されている。具体的に、このシロッコファン７２は、冷却空気を吸入する吸気口が前方から見て右方向に向き、吸入した冷却空気を吐出する吐出口が底面部２２Ａに沿って後方に向いている。
【００４９】
吸気側ダクト７３は、冷却空気を流通可能とする中空部材から構成され、光学ユニット４の下面および前方から見て右側の側端面に沿って配置されている。この吸気側ダクト７３は、吸気口２Ａ（図２）を介した冷却空気を吸気側ダクト７３内部に導入する吸気側第１ダクト７３１と、この吸気側第１ダクト７３１と接続し、吸気側第１ダクト７３１に導入された冷却空気をシロッコファン７１，７２の各吸気口へと流通させる吸気側第２ダクト７３２とを備える。
吸気側第１ダクト７３１は、略直方体形状を有し、一方の端面に形成された図示しない開口が吸気口２Ａ（図２）と接続し、光学ユニット４の下方に配置される。
吸気側第２ダクト７３２は、吸気側第１ダクト７３１の一端と冷却空気を流通可能に接続し、吸気側第１ダクト７３１と略直交して外装ケース２の側面部２１Ｂ，２２Ｂに沿って延びる略直方体状に形成されている。そして、この吸気側第２ダクト７３２は、一端側にシロッコファン７１の吸気口と接続する図示しない開口が形成されるとともに、他端側にシロッコファン７２の吸気口と接続する図示しない開口が形成され、吸気側第１ダクト７３１に導入された冷却空気をシロッコファン７１，７２の各吸気口の双方に流通させる。
【００５０】
吐出側ダクト７４は、冷却空気を流通可能とする中空部材から構成され、ロアーケース２２の底面部２２Ａに沿って光学ユニット４の下方に配置される。この吐出側ダクト７４は、シロッコファン７１，７２の各吐出口と接続され、光学ユニット４の光学装置４４に冷却空気を導く吐出側第１ダクト７４１と、この吐出側第１ダクト７４１と接続し、光学ユニット４の偏光変換素子４１４および電源ユニット６側に冷却空気を導く吐出側第２ダクト７４２とを備える。
吐出側第１ダクト７４１は、一端側にシロッコファン７１の吐出口と接続する図示しない開口が形成されるとともに、他端側にシロッコファン７２の吐出口と接続と接続する図示しない開口が形成され、平面視略Ｕ字状に形成されている。そして、吐出側第１ダクト７４１の上面には、光学装置４４に対応する位置に３つの導出口７４１Ｒ，７４１Ｇ，７４１Ｂが形成されている。また、吐出側第１ダクト７４１の内部には、具体的な図示は省略するが、導出口７４１Ｒ側と、導出口７４１Ｇ，７４１Ｂ側とを区画する隔壁が形成されている。
【００５１】
吐出側第２ダクト７４２は、一端が吐出側第１ダクト７４１の側端面と冷却空気を流通可能に接続し、他端が電源ユニット６側に延びる平面視略Ｕ字状に形成されている。そして、吐出側第２ダクト７４２には、他端に導出口７４２Ａが形成されるとともに、その上面の偏光変換素子４１４に対応した位置に導出口７４２Ｂが形成されている。
そして、これらシロッコファン７１，７２、吸気側ダクト７３、および吐出側ダクト７４は、一体的にユニット化され、ロアーケース２２の底面部２２Ａにねじ等により固定される。
【００５２】
シロッコファン７５は、光源装置４１１の側方に位置し、シロッコファン７１，７２と同様に、冷却空気を吸入する吸気面が前記光路面に直交する面に沿って配置されている。具体的に、このシロッコファン７５は、冷却空気を吸入する吸気口が前方から見て右方向に向き、吸入した冷却空気を吐出する吐出口７５１がライトガイド４５の光源収納部４８に形成された流入用開口４８Ａ１（図７）に対向するように配置される。そして、このシロッコファン７５は、ファン固定部材７５Ａによりロアーケース２２の底面部２２Ａにねじ等により固定される。
【００５３】
排気装置７６は、ロアーケース２２の底面部２２Ａに形成された膨出部２２Ａ２と、ロアーケース２２の側面部２２Ｃに形成された膨出部２２Ｃ１とで形成される凹部に収納配置されている。この排気装置７６は、吸気面が前記光路面に直交する面に沿って配置されるとともに、吸気口が前方から見て右方向に向き、吐出口が前方側に向くように配置されるシロッコファン７６２と、光源装置４１１の側方に対向配置され、光源装置４１１を介して温められた空気をシロッコファン７６２の吸気口側に導く排気側ダクト７６１と、複数の羽根板７６３Ａを有し、シロッコファン７６２の吐出口に接続するとともに外装ケース２の排出口２Ｂに係合するルーバ７６３とを備える。そして、これら排気側ダクト７６１、シロッコファン７６２、およびルーバ７６３は、一体的にユニット化され、ロアーケース２２の底面部２２Ａにねじ等により固定される。
【００５４】
（３）冷却構造
次に、前述の冷却ユニット７によるプロジェクタ１内部の冷却構造を説明する。
図９は、プロジェクタ１内部に形成される冷却流路を示す図である。
プロジェクタ１内部には、前述の冷却ユニット７により、図９に示すように、液晶パネル４４１Ｒ，４４１Ｇ，４４１Ｂを主に冷却するパネル冷却流路Ａと、偏光変換素子４１４および電源ユニット６を主に冷却する偏光変換素子・電源冷却流路Ｂと、光源装置４１１を主に冷却する光源冷却流路Ｃとが形成される。
【００５５】
パネル冷却流路Ａは、冷却空気がプロジェクタ１内を以下に示すように流通することで形成される。
すなわち、シロッコファン７１，７２の駆動により、プロジェクタ１外部の冷却空気は、図９に示すように、ロアーケース２２の底面部２２Ａに形成された吸気口２Ａ（図２）から吸気側第１ダクト７３１内部に導入され、吸気側第２ダクト７３２を介してシロッコファン７１，７２の双方に吸気される。
シロッコファン７１に吸気された冷却空気は、吐出口から吐出され、吐出側第１ダクト７４１の一端から該吐出側第１ダクト７４１内部に導入される。そして、吐出側第１ダクト７４１内部に導入された冷却空気の一部は、内部の図示しない整流板により整流され、導出口７４１Ｒを介して吐出側第１ダクト７４１外部に流出する。
また、シロッコファン７２に吸気された冷却空気は、吐出口から吐出され、吐出側第１ダクト７４１の他端から該第１吐出側ダクト内部に導入され、導出口７４１Ｂ，７４１Ｇを介して吐出側第１ダクト７４１外部に流出する。
【００５６】
導出口７４１Ｒ，７４１Ｇ，７４１Ｂを介して吐出側第１ダクト７４１外部に流出した冷却空気は、ライトガイド４５の底面部分に形成された図示しない開口からライトガイド４５内部に導入される。ライトガイド４５内部に導入された冷却空気は、液晶パネル４４１Ｒ，４４１Ｇ，４４１Ｂ、入射側偏光板４４２、および射出側偏光板４４４を冷却しながら、光学装置４４の下方から上方に向けて流れ、ライトガイド４５の外部に流出する。そして、ライトガイド４５の外部に流出した空気は、排気装置７６のシロッコファン７６２により引き寄せられ、制御基板５（図４）を冷却しつつ該制御基板５に沿って流れ、ルーバ７６３を介して外装ケース２の排出口２Ｂ（図１）から排出される。
【００５７】
偏光変換素子・電源冷却流路Ｂは、冷却空気がプロジェクタ１内を以下に示すように流通することで形成される。
すなわち、シロッコファン７１から吐出され、吐出側第１ダクト７４１の一端から該吐出側第１ダクト７４１内部に導入された冷却空気の一部は、内部の図示しない整流板により整流され、吐出側第２ダクト７４２の一端から該吐出側第２ダクト７４２内部に導入される。
吐出側第２ダクト７４２内部に導入された冷却空気の一部は、導出口７４２Ｂを介して吐出側第２ダクト７４２外部に流出する。
導出口７４２Ｂを介して吐出側第２ダクト７４２外部に流出した冷却空気は、ライトガイド４５の底面部分に形成された図示しない開口からライトガイド４５内部に導入され、偏光変換素子４１４を冷却し、上ライトガイド４７に形成された開口部４７Ａ（図７）からライトガイド４５外部に流出する。そして、ライトガイド４５の外部に流出した空気は、前述のパネル冷却流路Ａと同様に、制御基板５（図４）を冷却しつつ該制御基板５に沿って流れ、ルーバ７６３を介して外装ケース２の排出口２Ｂ（図１）から排出される。
【００５８】
また、吐出側第２ダクト７４２内部に導入された冷却空気の一部は、該吐出側第２ダクト７４２に導かれ、他端に形成された導出口７４２Ａから吐出側第２ダクト７４２外部に流出する。
導出口７４２Ａを介して吐出側第２ダクト７４２外部に流出した冷却空気は、排気装置７６のシロッコファン７６２により引き寄せられ、電源ユニット６を構成する電源ブロック６１およびランプ駆動ブロックの各筒状部材の開口部分から該電源ユニット６内部に導入される。そして、電源ユニット６内部に導入された冷却空気は、電源ブロック６１およびランプ駆動ブロックの各回路基板に実装された回路素子を冷却しつつ各筒状部材に沿って流れ、ルーバ７６３を介して外装ケース２の排出口２Ｂ（図１）から排出される。
【００５９】
光源冷却流路Ｃは、冷却空気がプロジェクタ１内を以下に示すように流通することで形成される。
すなわち、シロッコファン７５により吸気されたプロジェクタ１内部の空気は、吐出口７５１から吐出され、ライトガイド４５の光源収納部４８の側面に形成された流入用開口４８Ａ１から光源収納部４８内に流入する。光源収納部４８内に流入した空気は、光源装置４１１（図６）内部に流入し、光源ランプ４１１Ａ（図６）を冷却する。光源ランプ４１１Ａ（図６）を冷却した後の高温空気は、光源装置４１１（図６）外部に流出し、光源収納部４８の側面に形成された流出用開口４８Ａ２を介して光源収納部４８外部に流出する。
【００６０】
また、排気装置７６のシロッコファン７６２の駆動により、光源収納部４８の側方に滞留する空気が引き寄せられ、光源収納部４８の側面に形成された流入用開口４８Ｂ１から光源収納部４８内に流入する。光源収納部４８内に流入した空気は、光源装置４１１（図６）のリフレクタ４１１Ｂ（図６）の背面に沿って流通し、リフレクタ４１１Ｂ（図６）を冷却する。リフレクタ４１１Ｂ（図６）を冷却した後の高温空気は、光源収納部４８の側面に形成された流出用開口４８Ｂ２を介して光源収納部４８外部に流出する。
そして、光源ランプ４１１Ａおよびリフレクタ４１１Ｂを冷却し、光源収納部４８外部に流出した高温空気は、排気装置７６の排気側ダクト７６１を介してシロッコファン７６２に吸入され、ルーバ７６３を介して外装ケース２の排出口２Ｂ（図１）から排出される。
【００６１】
（４）情報表示部構成
(4-1)情報表示部の構成
次に、プロジェクタ１のケース２において、情報表示部の構成を説明する。
図１０は、プロジェクタ１の情報表示部の構成を示す斜視図である。具体的には、情報表示部９とフロントケース２３を示した斜視図である。図１０において、情報表示部９はフロントケース２３の左側の前面凹部に挿入・固定され、会社名、製品名等のロゴマークを含む文字情報が表示される。なお、文字情報が表示された金属のプレートが情報表示部９の台座に貼り付けられた構成になっている。
【００６２】
図１１は情報表示部の構成を示す断面図である。具体的には、情報表示部９がフロントケース２３に取り付けられた状態を示す断面図である。図１１において、情報表示部９は板状部９１を備え、この板状部９１の表面に、会社名、製品名等のロゴマークを含む文字情報が表示される。
板状部９１は、長方形状の合成樹脂材料部分と、その表面に貼り付けられる情報表示部分とから構成され、情報表示部分が合成樹脂材料部分に接着剤等等で貼り付け固定されて一体化されている。
この板状部９１の略中央部分には、回転可能な軸状部９２が突設されていて、この軸状部９２は支持孔２３５と嵌合している。また、軸状部９２の先端部分は割り溝付の別な鍵状の係合片を2箇所備え、この軸状部９２の材質はＡＢＳなどの弾性力のある合成樹脂材料で製作されている。また、軸状部９２の中間部分は球状に膨出しており、この膨出部分は、後述する回転動作時の支点となる。
板状部９１の裏面側には、軸状部９２回りに対称に２箇所の係合突起部９３が突設され、この係合突起部９３の先端部分には、鍵状の係合片９４が形成されている。
また、情報表示部９のつば部の厚さがフロントケース２３の落ち込み部の段差と等しく形成されている。
【００６３】
このフロントケース２３の情報表示部９の取付部分は、段落ちした凹部が形成され、この凹部内部には、支持孔２３５、傾斜凹部２３６、一対の係合孔２３７が形成されている。
支持孔２３５は、凹部略中心に楕円状の孔として形成され、この支持孔２３５にはプロジェクタ１内部と連通し、前述の情報表示部９の軸状部９２が挿入される。
傾斜凹部２３６は、この支持孔２３５に隣接されて形成され、支持孔２３５から離れるに従って、次第に深さが増す。
一対の係合孔２３７は、支持孔２３５を中心として凹部内に互いに対称となるように配置され、一方が傾斜凹部２３６の傾斜面の中間部分に形成され、他方は凹部内の平坦面に形成されている。また他方の係合孔２３７のフロントケース２３の内面には、係合突起部２３８が形成され、この係合突起部２３８には、情報表示部９の係合突起部９３が係合する。
【００６４】
図１２は情報表示部を裏面側から見た斜視図である。図１２において、係合突起部９３の鍵状の係合片９４が傾斜凹部２３６に沿って係合孔２３７に挿入され、フロントケース２３の裏面に固定されている。また、他方の係合突起部９３の鍵状の係合片９４がフロントケース２３に設けられた係合突起部２３８と係合されている。
また、軸状部９２は支持孔２３５に挿入され、軸状部９２の一部分が支持孔２３５の内周部に当接し、支持されている。
【００６５】
図１３は情報表示部の構成を示す断面図である。同様に、図１４は斜視図である。具体的には情報表示部９がフロントケース２３から外れた状態を示す断面図と斜視図である。
図１３および図１４において、情報表示部９がフロントケース２３から外れた状態になっていて、板状部９１の2箇所に設けられた係合突起部９３に備えられた鍵状の係合片９４の一方がフロントケース２３の係合孔２３７と外れている。同様に、他方の係合突起部９３の鍵状の係合片９４がフロントケース２３に設けられた係合突起部２３８と外れていて、軸状部９２が支持孔２３５と離間している。このことによって、情報表示部９が回転自在に支持される。
【００６６】
(4-2)情報表示部の動作
情報表示部９をフロントケース２３から外す場合は、板状部９１を傾斜凹部２３６に沿って外部から押すと、この板状部９１が傾斜凹部２３６に沿って沈み込む。この時、軸状部９２の球状部分左端部が支持孔２３５から徐々に離れ、軸状部９２が右へ旋回し始めると一方の係合突起部９３の鍵状の係合片９４と係合孔２３７との係合が外れる（図１１)。さらに、軸状部９２の球状部分右端部が支持孔２３５内周部に当接すると、ほぼ同時に、他方の係合突起部９３の鍵状の係合片９４が情報表示部９の弾性力によって、係合突起部２３８から外れる。この係合が外れることで、支持孔２３５に挿入されていた軸状部９２の嵌合が緩められて、情報表示部９が回転可能になる。このことによって、情報表示部９がフロントケース２３の前面側に回転自在になる。
また、情報表示部９は軸状部９２の軸状先端部分に設けられた別な鍵状の係合片によって、フロントケース２３（ひいては、製品）から完全に離脱しないように離間防止しながら支持されている。
逆に、情報表示部９をフロントケース２３に取り付ける場合は、前述の外す時とは逆な作業を行えば良い。つまり、あらかじめ傾斜凹部２３６のある側の（この場合、向かって左側）係合突起部９３の鍵状の係合片９４を係合孔２３７に挿入して係合させておき、板状部９１の他方を外部から押すことによって、軸状部９２が左へ旋回し始め、係合突起部９３の鍵状の係合片９４と係合突起部２３８とが係合する。そうすると、軸状部９２が支持孔２３５に嵌合できる。
これらの動作を繰り返すことによって、情報表示部９の位置を１８０度変更することができる。
【００６７】
(4-3)実施形態の効果
従って、本実施形態によれば、以下のような効果が得られる。
（１）情報表示部９は板状部９１を外部から押すことによって着脱可能になり、軸状部９２を回転中心として、回転させることができるから、情報表示部９に刻印または印刷された会社名、製品名等のロゴマークを含む文字情報を回転自在に反転できる。
（２）情報表示部９は１つしか部品がないので、構造が簡単になり、短時間で分解・組立てができるし、省スペース化や低コスト化も実現できる。
（３）外部応力が情報表示部９に加わっても、前述のように係合片と係合孔の係合が外れるだけなので、情報表示部９が破損することも無いし、ひいては、情報表示部９の一部が製品内部に残存することもない。つまり、製品の破損部分が内部で動作不良の原因となることもない。
（４）情報表示部９のつば部の厚さがフロントケース２３の落ち込み部の段差と等しく形成されているから、板状部９１の表面とフロントケース２３の表面が略面一になり、製品内部への埃の侵入を防止することができるとともに、製品の見た目の外観を向上させることができる。
（５）前述のような効果が得られ、情報表示部９の向きを変えられるプロジェクタを提供できる。特にプロジェクタの場合、天井に吊り下げて上から下へあおり投写したり、テーブル上に設置して下から上にあおり投写することがあり、本発明を適用することの有用性は高い。
【００６８】
なお、本発明は前述の実施形態に限定されるものではなく、本発明の目的を達成できる範囲での変形、改良等は本発明に含まれるものである。
例えば、本実施形態では、情報表示部９は略長方形としたが、本発明では、情報表示部９は多角形や円形などにしてもよい。このようにすれば、情報表示部９に任意の形状のロゴマークや文字などを表示することができるので、用途の拡大が期待できる。
【００６９】
また、本実施形態のように板状部９１の表面とフロントケース２３の表面が略面一としたが、本発明では、板状部９１がフロントケース２３より飛び出ていても引っ込んでいてもよい。このようにすれば、情報表示部９およびフロントケース２３の部品精度にこだわることが無くなるので、部品のコストも低減できる。
【００７０】
また、本実施形態のように情報表示部９を180度反転させる表示としたが、本発明では、これに限定されるものではなく、90度回転などでもよい。このようにすれば、情報表示部９を任意の位置に設置できるとともに、製品設計およびデザインの自由度が向上する。
【００７１】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称の記載は、本発明に含まれるものである。
【産業上の利用可能性】
【００７２】
本発明は、プロジェクタの縦置き、横置き、逆さ吊りなどの設置方向を色々な姿勢に変更するときに利用できる他、電気製品の電源のＯＮ・ＯＦＦスイッチや、マンションの空室あり、無しの表示などにも利用することができ、その用途は幅広い。
【図面の簡単な説明】
【００７３】
【図１】本実施形態に係るプロジェクタを上方前面側から見た斜視図。
【図２】前記実施形態におけるプロジェクタを下方背面側から見た斜視図。
【図３】前記実施形態におけるプロジェクタの内部構成を示す図。
【図４】前記実施形態におけるプロジェクタの内部構成を示す図。
【図５】前記実施形態におけるプロジェクタの内部構成を示す図。
【図６】前記実施形態における光学ユニットの光学系を模式的に示す図。
【図７】前記実施形態におけるライトガイドの構造を示す図。
【図８】前記実施形態における冷却ユニットの構成を示す図。
【図９】前記実施形態におけるプロジェクタ内部に形成される冷却流路を示す図。
【図１０】前記実施形態における情報表示部の構成を示す斜視図。
【図１１】前記実施形態における情報表示部の構成を示す断面図。
【図１２】前記実施形態における情報表示部を裏面側から見た斜視図。
【図１３】前記実施形態における情報表示部の構成を示す断面図。
【図１４】前記実施形態における情報表示部の構成を示す斜視図。
【符号の説明】
【００７４】
１…プロジェクタ、２…外装ケース、２３…フロントケース、９…情報表示部、９１…板状部、９２…軸状部、９３…係合突起部、９４…係合片、２３５…支持孔、２３６…傾斜凹部、２３７…係合孔、２３８…係合突起部
【図１】
2005084221.tif 000003
【図２】
2005084221.tif 000004
【図３】
2005084221.tif 000005
【図４】
2005084221.tif 000006
【図５】
2005084221.tif 000007
【図６】
2005084221.tif 000008
【図７】
2005084221.tif 000009
【図８】
2005084221.tif 000010
【図９】
2005084221.tif 000011
【図１０】
2005084221.tif 000012
【図１１】
2005084221.tif 000013
【図１２】
2005084221.tif 000014
【図１３】
2005084221.tif 000015
【図１４】
2005084221.tif 000016